(57)【特許請求の範囲】
【請求項１】
浴室内に温風を供給すると共に浴室内の空気を換気することによって浴室の換気乾燥を行う浴室暖房乾燥装置であって、
熱媒と熱交換させて温風を供給するための熱交換器と、前記熱交換器により暖められた温風を浴室に送り出すための温風吹出用ファンと、浴室内の空気を排気路から排出するための換気用送風機とを備え、
前記温風吹出用ファンと前記換気用送風機とを同時に作動させるときには、前記温風吹出用ファンにより温風の吹き出し風速を高めた後に前記換気用送風機を動作させる送風ファン制御手段と、
を具備したことを特徴とする浴室暖房乾燥装置。
【発明の詳細な説明】
【０００１】
【発明の属する技術分野】
本発明は、換気機能を備えた浴室暖房乾燥装置に関する。
【０００２】
【従来の技術】
従来、浴室の湿気を除くものとして温風暖房すると共に換気を行うようにしたものがある。これにより単に換気を行う場合に較べてより効果的に浴室の乾燥を行うことができる。
【０００３】
【発明が解決しようとする課題】
しかしながら上記のような従来のものでは、換気用送風機の排気路が温風吹出用ファンの送風路の近傍にある場合には、温風吹出用ファンの送風空気の一部が換気用送風機の送風能力により排気路に導かれてしまい温風吹出用ファンの送風能力が幾分低下してしまう。そのため、温風吹出用ファンの作動時等のファンの送風能力の低いときには、吹き出した温風が直ちに吸い込まれるというショートサーキット等の問題を生じてしまう。しいては乾燥能力が低下するという問題を生じる。
【０００４】
そこで、本発明は上述の問題点に鑑みてなされたものであって、乾燥能力の低下を防止し効果的な作動を行い得る浴室暖房乾燥装置の提供を目的とする。
【０００５】
【課題を解決するための手段】
上記目的を達成するために請求項１記載の発明は、浴室内に温風を供給すると共に浴室内の空気を換気することによって浴室の換気乾燥を行う浴室暖房乾燥装置であって、熱媒と熱交換させて温風を供給するための熱交換器と、前記熱交換器により暖められた温風を浴室に送り出すための温風吹出用ファンと、浴室内の空気を排気路から排出するための換気用送風機とを備え、前記温風吹出用ファンと前記換気用送風機とを同時に作動させるときには、前記温風吹出用ファンにより温風の吹き出し風速を高めた後に前記換気用送風機を動作させる送風ファン制御手段とを具備したことを特徴とする。
【０００６】
請求項１記載の発明によれば、温風吹出用ファンと換気用送風機を同時に動作させるような場合には、温風吹出用ファンが動作し始めて吹き出し風速を高めた後に換気用送風機を動作させるようにしたので、吹き出した温風が直接換気の方に吸い込まれる現象が生じず、効果的に動作を行う。
【０００７】
【発明の実施の形態】
図１は本発明の一実施形態による浴室暖房乾燥装置１１を示す正面図、図２はその内部構造図、図３はその背面図である。まず、この浴室暖房乾燥装置１１の構造を主として図２により説明する。この浴室暖房乾燥装置１１にあっては、本体ケース１２内部の向かって中央部から右側にかけて、配管（コイル）１３内を循環する湯などの熱媒と空気を熱交換させて空気を加熱するための熱交換器１４を配設している。本体ケース１２内部の、熱交換器１４の背後空間の上部には、温風吹出用ファン１５を納めている。温風吹出用ファン１５は、例えば、モータ１６によってフロースルー（横流）ファン１７を回転させることにより、熱交換器１４で加熱された空気を下方から吸引し、上方から温風として浴室内へ吹き出すものである。また、本体ケース１２の前面に着脱自在に取り付けられている正面カバー１８の上部には、図３に示すように、温風吹出用ファン１５による温風吹出し位置に対応させて温風吹出口１９を開口してあり、温風吹出口１９の前面上部には上下の風向調整を行なうためのルーバー翼２０を設け、温風吹出口１９内には左右の風向調整を行なうための複数枚のルーバー羽根２１を設けている。さらに、正面カバー１８の、熱交換器１４と対向する部分には、空気吸込口２２が設けられており、空気吸込口２２の背面には下方から防塵用のフィルタ２３を着脱自在に差し込めるようになっている。
【０００８】
本体ケース１２の向かって左側の上部には、換気用送風機２４を横向き姿勢で取り付けている。換気用送風機２４は、例えば、薄型モータ２５でシロッコファン（図示せず）を回転させるものであって、上面に位置するモータ２５でシロッコファンを回転させると、下面に位置する吸込み口２６から浴室内の空気（湿気）を吸引し、背面のダクト２７を通して屋外へ排気する。なお、図３に示すように、ダクト２７内には、逆風防止用のシャッター２８が垂下され上縁が回動自在に枢支されている。このシャッター２８は自重で閉じ、換気用送風機２４の風力によって屋外側へ開く。換気用送風機２４は、背面に設けられた取付プレート２９を本体ケース１２の背面にビス３０で止めることにより固定されている。また、取付プレート２９の裏面には、ダクト２７の下部周囲に複数個の突起３４が突設されている。
【０００９】
また、本体ケース１２の左側上部には、図４に示すような開口３２があけられている。この開口３２は、換気用送風機２４のダクト２７の外径よりも十分に大きな開口径（例えば、ダクト２７の直径を８０ｍｍとすると、開口３２は直径１２０ｍｍ程度になる）を有するものであって、換気用送風機２４は、ダクト２７を開口３２から背面側へ突出させるようにして本体ケース１２に取り付けられる。しかも、開口３２は、換気用送風機２４によって上部だけが塞がれており、取付プレート２９の下側では換気用送風機２４に塞がれることなく開放されている。
【００１０】
さらに、図４に示すように、本体ケース１２の、開口３２よりも右側下方には、開口３２よりも小さな開口３５があいている。この開口３５は配管と配線が通る程度の大きさがあればよい。
【００１１】
熱交換器１４に配設された配管１３の両端は、図４に示すように、開口３５の近傍へ導かれている。配管１３の一端には、袋ナット等の接続手段により継手管３６の一端が接続され、配管１３の他端には、熱動弁３３を介して継手管３６が接続されており、両継手管３６の他端は、取付プレート２９の下の開口３２へ導かれている。
【００１２】
また、本体ケース１２内の換気用送風機２４前方には、リモートコントローラ（図示せず）からの赤外線信号を受信する受光部４１（この受光部４１は、運転中や受信確認等の表示を行なう表示機能も備えている）が設けられており、受光部４１は正面カバー１８の窓４２から露出している。本体ケース１２の開口３２下方には、コントローラ４３が設けられている。
【００１３】
図３に示すように、本体ケース１２の背面には、金属製の支持プレート４４を着脱自在に取り付けられるようになっている。すなわち、支持プレート４４の上縁から突出した爪部４５を本体ケース１２の背面に設けられた差込み口４６に下方から差し入れ、本体ケース１２の凹部４８の天井面に突出した突起４９を、支持プレート４４の水平に屈曲された部分に開口された貫通孔４７に上方から差込むことによって本体ケースが支持プレート４４に取り付けられている。なお、５０は支持プレートを壁にネジ止めするための通孔である。
【００１４】
次に使用状態の一例を説明すると、上記浴室暖房乾燥装置１１は、図５に示すように、浴室壁５１に取り付けられる壁掛け型となっており、例えば浴槽５３の上方の天井面付近において、支持プレート４４によって浴室壁（外壁）５１に取り付けられる。しかして、熱源機（図示せず）から熱交換器１４の配管１３へ高温の熱媒を循環させるとともに、温風吹出用ファン１５を運転し、比較的低温の温風を浴室暖房乾燥装置１１の温風吹出口１９から吐出させることにより、浴室内の暖房を行なえる。また、浴室内に衣類５２を吊り下げた状態で、浴室暖房乾燥装置１１の温風吹出口１９から高温の温風を吐出させれば、衣類を乾燥させることができ、浴室を衣類乾燥室に転用することが可能になる。さらに、換気用送風機２４を運転することにより、浴室内の湿気を含んだ空気を屋外に排出して浴室内の換気をすることができる。
【００１５】
次に、図６、図７に基づいて浴室暖房乾燥装置１１の動作について説明する。図６が浴室暖房乾燥装置１１の制御ブロック図であり、制御部６０には操作手段６４、温風吹出用ファン１５のモータ１６、換気用送風機２４のモータ２５、熱動弁３３や、図示はしないがその他の駆動部が接続されている。そして、制御部６０は、温水制御手段６１、送風ファン制御手段６２、その他の制御手段６３を有しており、温水制御手段６１は熱動弁３３を開閉制御してたり、図外のポンプを制御して配管（コイル）１３に流れる熱媒体を制御することにより暖房加熱能力を調整制御したりする。送風ファン制御手段６２は温風吹出用ファン１５、換気用送風機２４の駆動制御するものであり、その他の制御手段６３は上述以外の動作を制御する。
【００１６】
操作手段６４は、浴室暖房乾燥装置１１の各種操作入力を行う手段であり、図示はしないが例えば換気スイッチ、暖房スイッチ、乾燥スイッチ等のスイッチを有している。操作手段６４の換気スイッチが操作されると、送風ファン制御手段６２が換気用送風機２４を駆動して浴室内の湿度の高い空気を排気ダクト２７から浴室外へ出す。このとき温風吹出用ファン１５は停止している。操作手段６４の暖房スイッチが操作されると、温水制御手段６１が熱動弁３３を開けて図外のポンプを駆動させて配管（コイル）１３に温水を流すと共に、送風ファン制御手段６２が温風吹出用ファン１５を駆動して、浴室内の空気を空気吸込口２２より吸い込み、熱交換器１４を通すことにより加熱して温風を吹き出す。このとき換気用送風機２４は停止している。操作手段６４の乾燥スイッチが操作されると、温水制御手段６１が熱動弁３３を開けて図外のポンプを駆動させて配管（コイル）１３に温水を流すと共に、送風ファン制御手段６２が温風吹出用ファン１５を駆動して浴室内の空気を熱交換器１４を通すことにより加熱して温風を吹き出し浴室内の温度を上昇させる。また、このとき送風ファン制御手段６２が換気用送風機２４を駆動して浴室内の湿度の高い空気を排気ダクト２７から浴室外へ出して浴室内の湿度を下げる。このように、浴室の暖房と換気を同時に行うため高い乾燥の効果をを得ることができる。
【００１７】
図７は、このような場合の各部の駆動タイミングを示したタイミングチャートである。すなわち、このタイミングチャートに示すように、例えば乾燥動作のように温風吹出用ファンモータ１６と換気用送風機のモータ２５を同時に作動させるような場合には、温風吹出用ファンモータ１６を作動後、遅延時間（Ｔ秒）経過させてから換気用送風機を作動させる。そうすることで温風吹出用ファン１５により温風が十分な吹き出し力をもって吹き出された後に換気用送風機２４が作動されるようにしているので温風が直接換気の方に吸い込まれてショートサーキットされることがない。
【００１８】
なお、このとき暖房能力を調整するために熱動弁を断続的にオン・オフを繰り返し暖房能力を調整している。また、配管（コイル）１３上に比例弁を用いて温水流量を調整するようにしてもよいことはもちろんである。
【００１９】
【発明の効果】
以上説明したように、本発明の浴室暖房乾燥装置では、温風吹出用ファンと換気用送風機を同時に動作させるような場合には、温風吹出用ファンが動作し始めて吹き出し風速を高めた後に換気用送風機を動作させるようにしたので、吹き出した温風が直接換気の方に吸い込まれる現象が生じず、ショートサーキット現象を回避しつつ効果的に温風動作等を行うことができる。
【図面の簡単な説明】
【図１】本発明の一実施形態による浴室暖房乾燥装置の正面図である。
【図２】同上の浴室暖房乾燥装置の内部構造を示す正面図である。
【図３】同上の浴室暖房乾燥装置の背面図である。
【図４】同上の浴室暖房乾燥装置の本体ケースの背面部分を示す一部破断した正面図である。
【図５】同上の浴室暖房乾燥装置の浴室への施工状態を示す概略図である。
【図６】同上の浴室暖房乾燥装置の制御ブロック図である。
【図７】本発明の動作を示すタイミングチャートである。
【符号の説明】
１２  本体ケース
１３  配管
１４  熱交換器
１５  温風吹出用ファン
２４  換気用送風機
２７  ダクト
３２  本体ケースの開口（第１の開口）
６０  制御部
６１  温水制御手段
６２  送風制御手段
６３  その他の制御手段
６４  操作手段
【図１】
0003555127.tif 000002
【図２】
0003555127.tif 000003
【図３】
0003555127.tif 000004
【図４】
0003555127.tif 000005
【図５】
0003555127.tif 000006
【図６】
0003555127.tif 000007
【図７】
0003555127.tif 000008